(57)【要約】  ブラジャー（１）は、一対のカップ部（２）と、一対のカップ部（２）の左右両側にそれぞれ設けられ、脇肉を被覆するとともに、脇肉を体の中心に向かう方向に押圧可能な伸縮部材で形成される一対の脇被覆部（５）を備える。着用時に、脇被覆部（５）の脇側がカップ部側よりも大きく伸長して、脇被覆部（５）が、脇肉を体の中心に向かう方向に押圧する。ブラジャー（１）は、着用者の動きやすさを実現するとともに、バストの脇側の脇肉を支えて輪郭を整えることができる。
2017072876.tif 000002
【特許請求の範囲】
【請求項１】
バストを被覆するカップ部を有する衣類であって、
一対のカップ部と、
前記一対のカップ部の左右両側にそれぞれ設けられ、脇肉を被覆するとともに、前記脇肉を体の中心に向かう方向に押圧可能な伸縮部材で形成される一対の脇被覆部
を備え、
着用時に、前記脇被覆部の脇側がカップ部側よりも大きく伸長して、前記脇被覆部が、前記脇肉を体の中心に向かう方向に押圧する
ことを特徴とするカップ部を有する衣類。
【請求項２】
前記脇被覆部の脇側の端に、前記脇被覆部よりも強いパワーを有する脇側端部を設け、
前記脇側端部は、前記脇肉の移動を妨げ、
前記脇被覆部が、前記脇側端部によって留まった前記脇肉を、体の中心に向かう方向に押圧する
ことを特徴とする請求項１に記載のカップ部を有する衣類。
【請求項３】
着用者のバスト下方で周方向に、緊締力を有する部材で形成される帯状部を備え、
前記脇被覆部の脇側は、脇線近傍で前記帯状部に連結する
ことを特徴とする請求項１または２に記載のカップ部を有する衣類。
【請求項４】
前記脇被覆部の脇側の前記カップ部の上端から下端の高さに対応する部分は、前記脇被覆部のカップ部側の前記カップ部の上端から下端の高さに対応する部分よりも、曲率が大きく、かつ短くなるように形成される
ことを特徴とする請求項１ないし３のいずれか１項に記載のカップ部を有する衣類。
【請求項５】
前記脇被覆部の伸縮部材は、前記カップ部の上端に対応する高さ位置から肩の稜線に向かう方向に伸縮するように配設される
ことを特徴とする請求項１ないし４のいずれか１項に記載のカップ部を有する衣類。
【請求項６】
着用者の背面で前記帯状部に連結し、非伸縮または難伸縮性を有する一対のストラップ部をさらに備え、
前記脇被覆部は、肩の稜線を超えた背面の位置で、それぞれ前記ストラップ部に接続する
ことを特徴とする請求項３に記載のカップ部を有する衣類。
【請求項７】
前記一対のカップ部の上方にそれぞれ設けられ、前記カップ部の上側のバストを被覆するとともに、前記カップ部の上側のバストを体の中心に向かう方向に押圧可能な伸縮部材で形成される一対の上バスト被覆部をさらに備え、
前記上バスト被覆部の伸縮部材は、前記一対のカップ部の中心から前記一対のカップ部のそれぞれの上端に向かう方向に伸縮するように、それぞれ配設される
ことを特徴とする請求項１ないし６のいずれか１項に記載のカップ部を有する衣類。
【発明の詳細な説明】
【技術分野】
【０００１】
本発明は、バストを被覆するカップ部を有する衣類に関する。
【背景技術】
【０００２】
一般的に、バストを美しく造形する効果を有するブラジャーが普及している。高い造形性を実現するために、ワイヤーでバストを支えるワイヤー入りブラジャー、３／４カップ、１／２カップブラジャーなど、様々なブラジャーが普及している。【０００３】
また、着用者の動きに適応し、スポーツ時の着用に好適なスポーツ用ブラジャーも普及している。スポーツ用ブラジャーは、動きやすい効果のみならず、バストの揺れを抑制する。このためスポーツ用ブラジャーは、バストを押さえつける構造を有するものが多い（例えば、特許文献１参照。）。
【先行技術文献】
【特許文献】
【０００４】
【特許文献１】特開２００６−１０４６１３号公報
【発明の概要】
【発明が解決しようとする課題】
【０００５】
一般的なブラジャーは、造形性が高いものの、バストの揺れに対応しづらい場合がある。特に、一般的なブラジャーは、スポーツ用のブラジャーに比べて、バストを押さえつけたり、揺れを軽減したりする機能が弱く、スポーツ時の着用には向かない。【０００６】
従って着用者は、日常シーンでは造形性の高いブラジャーを着用し、スポーツ時にはスポーツ用ブラジャーを着用する場合がある。着用者は、スポーツクラブへの移動に一般的なブラジャーを着用し、スポーツクラブ内でスポーツ用ブラジャーを着用するなど、一般的なブラジャーとスポーツ用ブラジャーを、シーンを分けて着用する場合がある。特に、気軽にスポーツを楽しむことのできる、ウォーキング等の軽スポーツが普及しているものの、軽スポーツ時においてもスポーツ用ブラジャーに着替える必要が生じ、着用者が不便に感じる場合がある。【０００７】
また着用者の動きによって、バストがブラジャーのカップからはみ出たり、バストの脇側の脇肉が移動したりして、バストの脇側の輪郭が歪む場合がある。これを回避するために、脇肉近傍に緊締力の高い生地を配設したり、硬度の高い部材（いわゆるサイドボーン）を配設したりする場合があるが、このような構成は、着用者に動きづらさを感じさせ、スポーツ用としては適切でない場合がある。【０００８】
そこで、日常生活にも軽スポーツにも対応できるように、着用者の動きやすさを実現するとともに、バストの脇側の脇肉を支えて輪郭を整えることができる造形性の高いブラジャーの開発が期待されている。【０００９】
従って本発明の目的は、着用者の動きやすさを実現するとともに、バストの脇側の脇肉を支えて輪郭を整えることができるカップ部を有する衣類を提供することである。
【課題を解決するための手段】
【００１０】
上記課題を解決するために、本発明の特徴は、バストを被覆するカップ部を有する衣類に関する。本発明の特徴に係るカップ部を有する衣類は、一対のカップ部と、一対のカップ部の左右両側にそれぞれ設けられ、脇肉を被覆するとともに、脇肉を体の中心に向かう方向に押圧可能な伸縮部材で形成される一対の脇被覆部を備える。着用時に、脇被覆部の脇側がカップ部側よりも大きく伸長して、脇被覆部が、脇肉を体の中心に向かう方向に押圧する。
【発明の効果】
【００１１】
本発明によれば、着用者の動きやすさを実現するとともに、バストの脇側の脇肉を支えて輪郭を整えることができるカップ部を有する衣類を提供することができる。
【図面の簡単な説明】
【００１２】
【図１】本発明の実施の形態に係るブラジャーを着用者が着用した斜視図である。
【図２】本発明の実施の形態に係るブラジャーを着用者が着用した側面図である。
【図３】本発明の実施の形態に係るブラジャーを着用者が着用した背面図である。
【図４】本発明の実施の形態に係るブラジャーを着用者が着用した状態を透視した斜視図である。
【図５】本発明の実施の形態に係るブラジャーの脇被覆部の形状を説明する図である。
【図６】本発明の実施の形態に係るブラジャーの一部を平置きした図である。
【図７】本発明の実施の形態に係るブラジャーの脇被覆部および脇側端部の実装例を説明する図である。
【発明を実施するための形態】
【００１３】
次に、図面を参照して、本発明の実施の形態を説明する。以下の図面の記載において、同一または類似の部分には同一または類似の符号を付している。
【００１４】
（実施の形態）
本発明の実施の形態において、バストを被覆するカップ部を有する衣類の一例であるブラジャー１を説明する。図１ないし図４に示すように、ブラジャー１は、一対のカップ部２、土台部３、帯状部４、一対の脇被覆部５、一対の上バスト被覆部６および一対のストラップ部７を備える。
【００１５】
カップ部２は、それぞれ左右のバストを立体的に被覆する一対の釣鐘形状により、バストの造形性および保形性を担保するように形成される。本発明の実施の形態においてカップ部２は、バージスラインにワイヤーを設けず、伸縮性を有する素材で、バストの形状にあうような釣鐘形状を形成する。本発明の実施の形態において、カップ部２は、保形性を有するウレタン素材で形成される。カップ部２は、さらに通気性を実現するために、複数の貫通穴が設けられたウレタン素材で形成されても良い。
【００１６】
本発明の実施の形態に係るカップ部２は、保形性を有するウレタン素材からなる場合を説明するが、ノンワイヤーのモールド成型部材などで形成されてもよく、種々の部材を適用することができる。また、ノンワイヤータイプに限らず、バージスラインをワイヤーで支えるタイプなどの、カップ部２の構成を問わない。また、フルカップ、３／４カップなどの、カップ部２の形状も問わない。
【００１７】
土台部３は、伸縮性を有する素材で、カップ部２と帯状部４との形状に合致するように形成され、カップ部２を帯状部４に接続する。
【００１８】
帯状部４は、着用者のバスト下方で周方向に、緊締力を有する部材で形成される。帯状部４は、例えば、幅広ゴムであって、幅２センチから４センチ程度の幅を有する。帯状部４がパワーの強い部材で形成されることから、着用者の動きによって着くずれしたり、ずれたりすることなく、着用者の胴体に、安定して配設される。帯状部４の肌側に、糸刺繍による凹凸などにより、滑り止め加工がなされても良い。
【００１９】
図３に示すように、帯状部４の背面側の上端に、ストラップ部７を係止するためのタブ８ａおよび８ｂを有する。本発明の実施の形態において帯状部４は、背面上端の左右それぞれに、複数のタブ８ａおよび８ｂを左右対称に設け、一対のストラップ部７を係止する幅を適宜変更可能に形成される。
【００２０】
脇被覆部５は、一対のカップ部２の左右両側にそれぞれ設けられ、脇肉を被覆するとともに、脇肉を体の中心に向かう方向に押圧可能な伸縮部材で形成される。脇被覆部５は、肩の稜線を超えた背面の位置で、それぞれストラップ部７に接続する。脇被覆部５は、カップ部２の左右両側から左右の肩の稜線を経由して、徐々に細くなるように形成されて、ストラップ部７に接続する。
【００２１】
脇被覆部５は、着用者の動きなどによって脇肉が移動すると、その移動に追従して伸縮することにより、脇肉を体の中心に向かう方向に押圧し、着用者の脇肉近傍の輪郭を整える。本発明の実施の形態において「体の中心に向かう方向」は、右側の脇肉近辺における左後ろ方向や、左側の脇肉近辺における右後ろ方向を示す。具体的には、脇被覆部５は、右側の脇肉を右前方向から左後方向に押下するとともに、左側の脇肉を左前報告から右後ろ方向に押下して、脇肉を体に密着させる。
【００２２】
上バスト被覆部６は、一対のカップ部２の上方にそれぞれ設けられ、カップ部２の上側のバストを被覆するとともに、カップ部２の上側のバストを体の中心に向かう方向に押圧可能な伸縮部材で形成される。上バスト被覆部６は、着用者の動きによって上側のバストが移動すると、その移動に追従して伸縮することにより、上側のバストを被覆するとともに、上側のバストを体の中心に向かう方向に押圧し、着用者のバストの輪郭を整える。本発明の実施の形態において「体の中心に向かう方向」は、バスト近辺において、後ろ斜め下方に向かう方向を示す。具体的には、上バスト被覆部６は、バストの上側を前方斜め上方向から後ろ斜め下方向に向かう方向に押下して、バストを体に密着させる。
【００２３】
ストラップ部７は、着用者の背面で帯状部４にそれぞれ連結し、非伸縮または難伸縮性を有する。ストラップ部７は、肩の稜線を超えて背面に到る一対の脇被覆部５にそれぞれ接続する。ストラップ部７の帯状部４と連結する端部は、フックが設けられており、帯状部４と着脱可能に形成される。一対のストラップ部７は、図３に示すように平行にまたは交差して、帯状部４のタブ８ａまたは８ｂに係止することができる。
【００２４】
ストラップ部７は、帯状部４の緊締力を支えに脇被覆部５を引っ張る。これにより、ストラップ部７は、着用者の前面において、カップ部２を引き上げて、美しいバストの造形に寄与するとともに、着用者の脇近傍において、脇被覆部５を皮膚と密接させ、脇被覆部５に脇肉を体の中心に向かう方向に押圧させる。
【００２５】
またストラップ部７には、ストラップ部７の長さを調節するための調節部７ａが設けられている。調節部７ａは、ストラップ部７の長さを調節して、脇被覆部５を適切なパワーで引っ張ることができる長さで固定可能することができる。
【００２６】
本発明の実施の形態に係るブラジャー１は、カップ部２、土台部３、帯状部４、脇被覆部５および上バスト被覆部６が、それぞれ伸縮性を有する部材で形成され、ブラジャー１全体として伸縮性を実現している。これにより、着用者の動きやすさを実現するとともに、着用者の動きに伴うバストの揺れや皮膚の伸びに追従して、バストの保護や保形性を実現する。
【００２７】
（脇被覆部）
脇被覆部５は、カップ部２の左右の外側方向に隣接して設けられ、カップ部２の脇側の脇肉を被覆するとともに、脇肉を体の中心に向かう方向に押圧可能な、高い伸縮性と柔軟性を有する部材で形成される。脇被覆部５は、カップ部２からはみ出るバストやバストに隣接する脇肉を押圧可能な所定の面積を有するので、脇被覆部５は、面で、カップ部２からはみ出るバストや脇肉を押圧することにより、着用者の肌当たりを向上させ、着用者の動きに追従することができる。
【００２８】
脇被覆部５は、例えば、カップ部２の脇側で、着用時に２〜５センチ程度の幅を有するように形成されるが、これに限るものではない。脇被覆部５の幅は、着用者のサイズ、ブラジャー１の適用サイズやデザイン、脇被覆部５の素材等によって適宜変更される。
【００２９】
脇被覆部５は、パワーネット、トリコット等の着用者のサイズや動きに追従するように、滑らかに伸びて縮む素材で形成されることが好ましい。伸びにくい素材や縮みやすい素材は、着用者に窮屈さを与え、着用者のサイズや動きに追従しづらい場合がある。従って、脇被覆部５を高い伸縮性を有する部材で形成することにより、着用感や動きやすさを向上するとともに、脇肉の揺れにフィットすることができる。
【００３０】
脇被覆部５は、図２に示すように、脇被覆部５の脇側は、脇線Ｓ近傍で帯状部４に連結する。また脇被覆部５の短手方向（水平方向）は、脇線Ｓをまたぐように配設される。これにより、脇被覆部５は、バスト脇側近傍のボリュームのある位置を被覆するので、着用者の動きを阻害することなく、効果的に脇肉を被覆することができる。また、帯状部４の緊締力で脇被覆部５を後ろ方向に引くパワーが生じるので、脇被覆部５が張った状態で脇肉を被覆することができ、脇肉を体の中心方向に押圧することができる。また、脇被覆部５は、着用者の動きやすさを損なわないように、脇の後端（アームホールの後端）に対応する前後方向の位置よりも前に、配設されることが好ましい。
【００３１】
なお、本発明の実施の形態において脇線Ｓは、体の前側（腹側）と後側（背側）の境界となる線である。
【００３２】
図５を参照して、脇被覆部５の形状を説明する。図５に示す脇被覆部５は、上端がストラップ部７に接続し、下端が帯状部４に接続し、下方が太く上方が先細りする、略「く」の字形状を有する。
【００３３】
図１および図５に示す脇被覆部５に、上バスト被覆部６の上端の高さに対応する位置Ｐ１、カップ部２の上端の高さに対応する位置Ｐ２、バストトップの高さに対応する位置Ｐ３およびカップ部２の下端の高さに対応する位置Ｐ４を付している。
【００３４】
脇被覆部５の脇側の辺（図５の右辺）とカップ部２側の辺（図５の左辺）は、カップ部２の上端の高さ位置Ｐ２からカップ部２の下端の高さ位置Ｐ４の間で、換言すると、バストトップの高さ位置Ｐ３近傍で、それぞれ曲率が大きくなるようにカーブを形成する。脇側の辺は、上バスト被覆部６の上端の高さ位置Ｐ２とバストトップの高さ位置Ｐ３の間の位置Ｐ１１で、曲率が最大になる。カップ部２側の辺は、バストトップの高さ位置Ｐ３と上バスト被覆部６の下端の高さ位置Ｐ４との間の位置Ｐ１２で、曲率が最大になる。
【００３５】
ここで、脇被覆部５の脇側の辺（図５の右辺）と、カップ部２側の辺（図５の左辺）を比較する。脇被覆部５の脇側（図５の右辺側）のカップ部２の上端位置Ｐ２から下端Ｐ４の高さに対応する部分は、脇被覆部５のカップ部２側（図５の左辺側）のカップ部２の上端位置Ｐ２から下端位置Ｐ４の高さに対応する部分よりも、曲率が大きく、かつ短くなるように形成される。脇被覆部５の脇側が、脇被覆部５のカップ部２側よりも、短く形成されるので、図６に示すように、平置き時において、脇被覆部５はその柔軟性により折りたたまれ、脇被覆部５の脇側の辺は、カップ側端部５２の辺やカップ部２に重なるように、配設される。
【００３６】
着用者が本発明の実施の形態に係るブラジャー１を着用すると、脇被覆部５のカップ部２側はカップ部２の保形性に伴って、あまり伸長しない。これに対し、脇被覆部５の脇側は、着用者の脇まわり（アームホール）の形状にあわせて、伸長する。この結果、ブラジャー１の着用時において、脇被覆部５の脇側は、脇被覆部５のカップ側よりも、大きく伸長する。
【００３７】
例えば脇被覆部５の脇側のカップ部２の上端Ｐ２から帯状部４の接続位置に対応する部分において、着用時のわたり長さ（図４のＬ１）は、平置き時のわたり長さ（図６のＬ２）に対して１０５〜１３０％程度に伸長して形成される。脇被覆部５は、伸縮性を有する素材で形成されるので、着用時に、これにより脇被覆部５は、図１および図２に示すように、カップ部２の脇側近傍で大きく引っ張られることにより、脇被覆部５が、脇肉を体の中心に向かう方向に押圧することができる。
【００３８】
脇被覆部５の伸縮部材は、図４のＫ１に示すように、カップ部２の上端に対応する高さ位置から肩の稜線に向かう方向に伸縮するように配設される。脇被覆部５を形成する伸縮部材が、特定方向に大きく伸縮する特徴を有する場合、脇被覆部５は、カップ部２の上脇側の長手方向（上下方向）が、大きく伸縮する方向に一致するように形成される。カップ部２の上側で伸縮することにより、カップ部２および脇被覆部５のカップ部２の脇側部分を引っ張り上げる。これにより、バストの造形性を保つとともに、脇被覆部５のカップ部２の脇側の張りを維持することができるので、脇肉を押圧することが可能となる。特に、着用者の動きによってバストが揺れても、脇被覆部５がカップ部２の上側で伸縮することにより、バストの揺れを吸収して、脇被覆部５が脇肉を押圧するパワーに影響を与えにくくすることができる。
【００３９】
また、上バスト被覆部６が設けられる場合、脇被覆部５は、上バスト被覆部６の上脇側の長手方向が、大きく伸縮する方向に一致するように形成されることが好ましい。脇被覆部５は、脇被覆部５のカップ部２の脇側部分を引っ張り上げ、さらに上バスト被覆部６を左右に引くことができるので、上バスト被覆部６に張りをもたせて、バストに沿わせることができる。
【００４０】
このように、脇被覆部５の脇肉近傍部分が肩の稜線から引き上げられ、脇被覆部５の下端ないし脇端近傍部分が帯状部４の緊締力により後方向に引っ張られ、脇被覆部５のカップ部２側の端がカップ部２によって支えられる。これにより脇被覆部５は、脇肉にテンションをかけて脇肉を被覆するので、脇肉を体の中心方向に押圧し、脇肉の形状を整えることができる。
【００４１】
脇被覆部５は、脇側の端に、脇被覆部５よりも強いパワーを有する脇側端部５１を備え、カップ部２側の端に、脇被覆部５よりも強いパワーを有するカップ側端部５２を備える。脇側端部５１は、脇肉の移動を妨げ、脇被覆部５が、脇側端部５１によって留まった脇肉を、体の中心に向かう方向に押圧する。
【００４２】
本発明の実施の形態において脇側端部５１およびカップ側端部５２は、図１等に示すように、パイピングテープで脇被覆部５の左右端をくるみ縫着して、形成される。本発明の実施の形態においてパイピングテープは、例えば、ストレッチテープやゴムテープなどのよく伸びる素材であって、例えば、５ミリ〜１センチ程度の幅を有する。なお、パイピングテープは、脇被覆部５に接続されれば良く、その接続方法は、縫着に限らず、接着剤などによる接続でも良い。
【００４３】
本発明の実施の形態において脇側端部５１は、脇被覆部５に比べて、強いパワーがかるように形成される。例えば脇被覆部５と脇側端部５１は、伸び率が脇被覆部５＞脇側端部５１となり、伸長回復性が脇被覆部５＜脇側端部５１となるように形成される。
【００４４】
脇側端部５１は、脇被覆部５に比べて、強いパワーがかるように形成されることにより、着用者の動きに伴って脇側端部５１が移動して、脇肉端部５１は、脇肉に追従する。さらに、脇側端部５１によりストラップ部７からの引く力が、脇被覆部５のカップ部２の脇側部分に伝わり、この部分の脇肉がはみ出しにくいように形成され、着用者の脇肉近傍の輪郭を整える。ここで、脇被覆部５は、脇側端部５１よりも幅広に形成されるので、脇側端部５１の狭い面で、脇肉の一部を局所的に押圧して効果的に脇肉の移動に追従し、脇被覆部５の広い面で、脇肉がはみ出しにくいように形成する。これにより、着用者の着用感を損なうことはなく、脇肉の輪郭形成を実現することができる。
【００４５】
脇被覆部５の素材として、脇肉の揺れを抑制するとともに、着用者の脇肉の形状に馴染むことのできる素材がよく、例えば図４に示すＫ１方向の伸長回復性が１６０ｃＮから２４０ｃＮ程度の素材が好適である。なお、伸長回復性が小さすぎる場合、押さえる力が弱いので、脇肉の移動を抑制する効果が少なく、伸長回復性が大きすぎる場合、押さえる力が大きすぎて、着用者の脇肉の形状に馴染みにくく、快適な着用感が得られない。伸長回復性は、試験片を定速伸長形引張試験機に取り付け、３００ｍｍ／分程度の速度で伸長回復を複数回繰り返し、５０％伸長した際の伸長力（ｃＮ）と、５０％回復した際の回復力（ｃＮ）の平均により算出される。ここで試験片は、１６０ｍｍ×２５ｍｍであって、試験片は、上部つかみ２５ｍｍ、下部つかみ３５ｍｍおよびつかみ間隔１００ｍｍで、定速伸長形引張試験機に取り付けられる。
【００４６】
また脇被覆部５の素材として、図４に示すＫ１方向の伸び率が、１６０％から２４０％程度の素材が好まれる。この伸び率は、伸長回復性で用いた試験片と同様の試験片を、伸長回復性の試験と同様に定速伸長形引張試験機に取り付け、試験片をＫ１方向に加重１４．７Ｎをかけて測定されたものである。
【００４７】
脇側端部５１およびカップ側端部５２に用いられるパイピングテープの素材として、脇肉の移動を抑制するとともに、着用者の脇肉の形状に馴染むことのできる素材がよく、例えば素材を二枚重ねた時の伸長回復性が１１０ｃＮから１８０ｃＮ程度の素材が好適である。なお、伸長回復性が大きすぎる場合、着用者の脇肉の形状に馴染まず、伸長回復性が小さすぎる場合、押さえる力が弱いので、脇肉の移動を抑制する効果が少ない。伸長回復性は、試験片を定速伸長形引張試験機に取り付け、３００ｍｍ／分程度の速度で伸長回復を複数回繰り返し、５０％伸長した際の伸長力（ｃＮ）と、５０％回復した際の回復力（ｃＮ）の平均により算出される。ここで試験片は、幅６．５ｍｍのテープ状である。
【００４８】
また脇側端部５１（カップ側端部５２）のパイピングテープの素材として、素材を二枚重ねた時の長手方向の伸び率は、１１０％から１８０％程度の素材が好まれる。この伸び率は、伸長回復性で用いた試験片と同様の試験片を、伸長回復性の試験と同様に定速伸長形引張試験機に取り付け、試験片を長手方向に加重１４．７Ｎをかけて測定されたものである。
【００４９】
なお脇側端部５１およびカップ側端部５２における伸び率および伸長回復性は、脇側端部５１およびカップ側端部５２に用いられるパイピングテープの伸び率および伸長回復性とは異なる。すなわち、脇側端部５１およびカップ側端部５２は、図１等に示すように、パイピングテープで脇被覆部５の左右端をくるみ縫着して、形成される。従って、脇被覆部５の端においては、脇被覆部５に、パイピングテープを二枚重ねて形成されるため、脇側端部５１およびカップ側端部５２における伸長回復性および伸び率は、上述した脇側端部５１およびカップ側端部５２のパイピングテープの伸長回復性よりも大きく、伸び率が小さくなる。
【００５０】
（上バスト被覆部）
上バスト被覆部６は、カップ部２の上方向に隣接して設けられ、カップ部２の上側のバストを被覆するとともに、上側のバストを体の中心に向かう方向に押圧可能な、高い伸縮性を有する部材で形成される。上バスト被覆部６は、カップ部２からはみ出るバストを押圧可能な所定の面積を有するので、上バスト被覆部６は、面で、カップ部２からはみ出るバストや脇肉を押圧することにより、着用者の肌当たりを向上させ、着用者の動きに追従することができる。
【００５１】
上バスト被覆部６は、例えば、カップ部２の上端に平行して、約２〜５センチの幅を有するように形成されるが、これに限るものではない。上バスト被覆部６の幅は、着用者のサイズ、ブラジャー１の適用サイズ、脇被覆部５の素材、カップ部２のデザイン等によって適宜設定される。
【００５２】
上バスト被覆部６は、パワーネット、トリコット等の着用者のサイズや動きに追従するように、滑らかに伸びて縮む素材で形成されることが好ましい。伸びにくい素材や縮みやすい素材は、着用者に窮屈さを与え、着用者のサイズや動きに追従しづらい場合がある。従って、上バスト被覆部６を高い伸縮性を有する部材で形成することにより、着用感や動きやすさを向上するとともに、バストの揺れにフィットすることができる。
【００５３】
上バスト被覆部６は、左右のバストの中間位置から、カップ部２の左右の脇側上方にいたる位置に設けられ、左右の脇被覆部５にそれぞれ接続する。脇被覆部５は、肩の稜線から引き上げるパワーで、上バスト被覆部６を体の中心方向に引きつけることにより、上バスト被覆部６を、カップ部２の上側のバストに押圧させ、上側のバストの輪郭を整える。
【００５４】
上バスト被覆部６の伸縮部材は、図４の左右のＫ２方向に示すように、一対のカップ部２の中心から一対のカップ部２のそれぞれの上端に向かう方向に伸縮するように、それぞれ配設される。上バスト被覆部６を形成する伸縮部材が、特定方向に大きく伸縮する特徴を有する場合、上バスト被覆部６は、長手方向（左右方向）が大きく伸縮する方向に一致するように形成される。上バスト被覆部６は、長手方向が大きく伸縮することにより、着用者の様々な体型（幅やボリューム）に対応して伸縮することができるので、上バスト被覆部６は、着用者の体型にかかわらず、バストの揺れに追従して、押圧することができる。またカップ部２の上縁にほぼ平行な方向に上バスト被覆部６が伸縮することにより、カップ部２の上方のバストの動きに追従しながら、押圧することができる。
【００５５】
上バスト被覆部６は、上端に、上バスト被覆部６よりも低い伸縮性を有する上バスト端部６１を備える。上バスト端部６１は、上側のバストの移動を妨げ、上バスト被覆部６が、上バスト端部６１によって留まったバストを、体の中心に向かう方向に押圧する。
【００５６】
本発明の実施の形態において上バスト端部６１は、図１等に示すように、脇側端部５１およびカップ側端部５２と同様に、パイピングテープで上バスト被覆部６の上端をくるみ縫着して、形成される。
【００５７】
上バスト被覆部６の素材は、脇被覆部５と同様に、図４に示すＫ２方向の伸長回復性が１６０ｃＮから２４０ｃＮ程度で、Ｋ２方向の伸び率が１６０％から２４０％程度の素材が好まれる。
【００５８】
上バスト端部６１に用いられるパイピングテープの素材として、上側のバストの移動を抑制するとともに、着用者の上側のバストの形状に馴染むことのできる素材がよく、例えば伸長回復性が２００ｃＮから２８０ｃＮ程度の素材が好適である。なお、伸長回復性が大きすぎる場合、着用者の上側のバストの形状に馴染まず、伸長回復性が小さすぎる場合、押さえる力が弱いので、上側のバストの移動を抑制する効果が少ない。伸長回復性は、試験片を定速伸長形引張試験機に取り付け、３００ｍｍ／分程度の速度で伸長回復を複数回繰り返し、５０％伸長した際の伸長力（ｃＮ）と、５０％回復した際の回復力（ｃＮ）の平均により算出される。ここで試験片は、幅５ｍｍのテープ状である。
【００５９】
また上バスト端部６１に用いられるパイピングテープの素材として、長手方向の伸び率は、３０％から８０％程度の素材が好まれる。この伸び率は、伸長回復性で用いた試験片と同様の試験片を、伸長回復性の試験と同様に定速伸長形引張試験機に取り付け、試験片を長手方向に加重１４．７Ｎをかけて測定されたものである。
【００６０】
上側のバストは、脇肉と比べてボリュームがあり大きく移動するので、上側のバストの移動をより大きなパワーで押さえられるように、上バスト端部６１に用いられるパイピングテープは、脇側端部５１に用いられる素材よりも、高い伸長回復性を有し、かつ低い伸び率を有する素材が好まれる。また脇側端部５１に用いるパイピングテープが、上バスト端部６１に用いられる素材よりも、低い伸長回復性を有し、かつ高い伸び率を有することにより、脇肉の肌当たりを良くすることができる。
【００６１】
（帯状部）
帯状部４は、カップ部２の下方において、着用者の胴体を周方向に配設される。図３に示すように、本発明の実施の形態において帯状部４の一端に２段の雄ホックが設けられ、網一方の端に２段の雄ホックに対応する２段×４列の雌ホックが設けられる。着用者は、自身の体型にあわせて適度な緊締力が得られるように、４列の雌ホックのうち、適切な列の雌ホックに雄ホックを係止する。
【００６２】
図３（ａ）に示すように、帯状部４の背面上端には、左右に２つずつタブ８ａおよび８ｂが設けられており、それぞれのタブ８ａおよび８ｂに、ストラップ部７を係止することができる。従って、図３（ａ）および（ｂ）に示すように、内側の左右のタブ８ａに一対のストラップ部７を係止することもできるし、外側の左右のタブ８ｂに一対のストラップ部７を係止することもできる。また、ストラップ部７の調節部７ａでストラップの長さを調節することにより、図３（ａ）および（ｂ）に示すように、一対のストラップ部７を平行に配設することもできるし、クロスして配設することもできる。着用者のサイズや着用するシーンに応じて、使用するタブやストラップ部７の配設を決定することができる。
【００６３】
例えば、図３（ａ）に示すように、一対のストラップ部７を平行に配設して内側の左右のタブ８ａに係止することにより、着用者は、窮屈さを感じにくいので、日常生活時に好適である。また図３（ｂ）に示すように、一対のストラップ部７をクロスに配設して外側の左右のタブ８ｂに係止することにより、脇被覆部５の引き上げが強くなり、脇被覆部５のサポート力を強くすることができるので、活動時に好適である。
【００６４】
このように本発明の実施の形態に係るブラジャー１は、カップ部２の左右両側に脇被覆部５を設け、着用時にこの脇被覆部５の脇側が大きく伸長することにより、脇被覆部５が、脇肉を体の中心に向かう方向に押圧する。これにより、着用者の動きによってバストがカップ部２からはみ出たり、脇肉が移動したりする場合でも、脇被覆部５がテンションをかけて賄肉を覆うので、日常時はもちろん、運動時においても、脇肉の移動を抑制し、カップ部２の脇側において美しいラインを保つことができる。
【００６５】
（実装例）
本発明の実施の形態において脇被覆部５および脇側端部５１（カップ側端部５２）は、上述した所望のように、伸び率が脇被覆部５＞脇側端部５１となり、伸長回復性が脇被覆部５＜脇側端部５１となる伸長回復性および伸び率を実現可能であれば、どのように実現されてもよい。例えば図７に示すように、様々な実装例が考えられる。図７の各図は、脇被覆部５および脇側端部５１を側面から見た状態を模式的に表現した図である。図７の各図において、下側が肌側に対応し、上側が着用者の外側（肌側の反対側）に対応する。また図７には、カップ側端部５２を表記しないが、脇側端部５１と同様に形成されても良い。また上バスト被覆部６および上バスト端部６１は、脇被覆部５および脇側端部５１と同様に形成されても良い。
【００６６】
図７（ａ）の例は、上記実施の形態で説明した例であって、脇被覆部５は、一枚のシート状の素材で形成され、脇側端部５１は、脇被覆部５の素材の端をくるむことができるＶ字形状に形成可能なテープ状の素材で形成される。図７（ａ）の例において、脇被覆部５を形成する一枚のシート状の素材が、所望の伸長回復性および伸び率を実現する。脇側端部５１を形成するテープ状の素材は、脇被覆部５を形成する一枚のシート状の素材に、二重に重ねられた状態で、所望の伸長回復性および伸び率を実現する。
【００６７】
図７（ｂ）の例は、図７（ａ）の例と比べて、脇被覆部５は、二枚のシート状の素材で形成される点が異なる。図７（ｂ）の例において、脇被覆部５を形成する二枚のシート状の素材が、所望の伸長回復性および伸び率を実現する。脇側端部５１を形成するテープ状の素材は、脇被覆部５を形成する二枚のシート状の素材に、二重に重ねられた状態で、所望の伸長回復性および伸び率を実現する。図７（ｂ）の例は、脇被覆部５が二枚のシート状の素材で形成される場合を説明するが、三枚以上などの複数のシート状の素材で形成され、所望の伸長回復性および伸び率を実現しても良い。
【００６８】
図７（ｃ）の例は、図７（ａ）の例と比べて、脇側端部５１は、脇被覆部５の端をくるむことなく、脇被覆部５の外側に重ねられるテープ状の素材で形成される。図７（ｃ）の例において、脇側端部５１を形成する一本のテープ状の素材は、脇被覆部５を形成する一枚のシート状の素材に重ねられて、所望の伸長回復性および伸び率を実現する。図７（ｄ）の例は、図７（ｃ）の例と比べて脇側端部５１を形成する素材が、脇被覆部５の肌側に形成される点で異なる。なお図７（ｃ）および図７（ｄ）は、一本のテープ状の素材が、所望の伸長回復性および伸び率を実現する場合を説明するが、複数本のテープ状の素材が重ねられて、所望の伸長回復性および伸び率を実現しても良い。
【００６９】
図７（ｅ）および図７（ｆ）の例は、図７（ｃ）および図７（ｄ）の例と比べて、脇被覆部５が複数枚のシート状の素材（５ａおよび５ｂ）で形成される点が異なる。図７（ｅ）および図７（ｆ）の例において、脇被覆部５を形成する複数枚のシート状の素材が、所望の伸長回復性および伸び率を実現する。また、図７（ｇ）に示すように、脇被覆部５を形成する複数のシート状の素材５ａおよび５ｂの間に、脇側端部５１を形成するテープ状の素材が設けられても良い。
【００７０】
図７（ｈ）の例は、脇被覆部５と脇側端部５１が単一の素材で形成される場合を示す。例えば脇被覆部５の素材の端に、所定の変化を施すことにより、脇被覆部５の素材の端のみに、脇被覆部５の伸長回復性および伸び率とは異なる属性を有する部分（脇側端部５１）が形成されてもよい。また図７（ｉ）の例に示すように、脇被覆部５を形成する二枚のシート状の素材の端に、所定の加工を施して二枚のシート状の素材を結合することにより、脇被覆部５の端のみに、脇被覆部５の伸長回復性および伸び率とは異なる属性を有する部分（脇側端部５１）が形成されてもよい。
【００７１】
図７（ｈ）および図７（ｉ）の脇側端部５１に施される変化は、編み地の変化、ケミカル加工、樹脂プリントを施す加工などである。脇側端部５１に施される変化により、脇側端部５１は、脇被覆部５と比べて、伸長回復性が高く伸縮性が低くなり、脇肉を押さえるパワーを生じる様に形成される。これにより、脇側端部５１が脇肉の移動に追従して、脇被覆部５で脇肉を形成することが可能となる。
【００７２】
また、図７に示すように、脇被覆部５と脇側端部５１は、一重で形成されても、複数重ねて形成されても良い。また脇被覆部５と脇側端部５１は、同一素材で形成されても、異なる素材で形成されても良い。このように脇被覆部５と脇側端部５１は、様々な方法で実装される。
【００７３】
（その他の実施の形態）
上記のように、本発明の実施の形態とその変形例によって記載したが、この開示の一部をなす論述および図面はこの発明を限定するものであると理解すべきではない。この開示から当業者には様々な代替実施の形態、実施例および運用技術が明らかとなる。
【００７４】
例えば、本発明の実施の形態において、カップ部を有する衣類は、ブラジャーの場合を説明したが、カップ部を有するキャミソール等の下着であっても良い。
【００７５】
本発明はここでは記載していない様々な実施の形態等を含むことは勿論である。従って、本発明の技術的範囲は上記の説明から妥当な請求の範囲に係る発明特定事項によってのみ定められるものである。
【符号の説明】
【００７６】
１  ブラジャー
２  カップ部
３  土台部
４  帯状部
５  脇被覆部
６  上バスト被覆部
７  ストラップ部
７ａ  調節部
８ａ、８ｂ  タブ
５１  脇側端部
５２  カップ側端部
６１  上バスト端部
【図１】
2017072876.tif 000003
【図２】
2017072876.tif 000004
【図３】
2017072876.tif 000005
【図４】
2017072876.tif 000006
【図５】
2017072876.tif 000007
【図６】
2017072876.tif 000008
【図７】
2017072876.tif 000009
【手続補正書】
【提出日】平成28年7月21日(2016.7.21)
【手続補正１】
【補正対象書類名】明細書
【補正対象項目名】００２１
【補正方法】変更
【補正の内容】
【００２１】
脇被覆部５は、着用者の動きなどによって脇肉が移動すると、その移動に追従して伸縮することにより、脇肉を体の中心に向かう方向に押圧し、着用者の脇肉近傍の輪郭を整える。本発明の実施の形態において「体の中心に向かう方向」は、右側の脇肉近辺における左後ろ方向や、左側の脇肉近辺における右後ろ方向を示す。具体的には、脇被覆部５は、右側の脇肉を右前方向から左後方向に押下するとともに、左側の脇肉を左前方向から右後ろ方向に押下して、脇肉を体に密着させる。
【手続補正２】
【補正対象書類名】明細書
【補正対象項目名】００４４
【補正方法】変更
【補正の内容】
【００４４】
脇側端部５１は、脇被覆部５に比べて、強いパワーがかるように形成されることにより、着用者の動きに伴って脇側端部５１が移動して、脇側端部５１は、脇肉に追従する。さらに、脇側端部５１によりストラップ部７からの引く力が、脇被覆部５のカップ部２の脇側部分に伝わり、この部分の脇肉がはみ出しにくいように形成され、着用者の脇肉近傍の輪郭を整える。ここで、脇被覆部５は、脇側端部５１よりも幅広に形成されるので、脇側端部５１の狭い面で、脇肉の一部を局所的に押圧して効果的に脇肉の移動に追従し、脇被覆部５の広い面で、脇肉がはみ出しにくいように形成する。これにより、着用者の着用感を損なうことはなく、脇肉の輪郭形成を実現することができる。
【手続補正３】
【補正対象書類名】明細書
【補正対象項目名】００６１
【補正方法】変更
【補正の内容】
【００６１】
帯状部４は、カップ部２の下方において、着用者の胴体を周方向に配設される。図３に示すように、本発明の実施の形態において帯状部４の一端に２段の雄ホック４ａが設けられ、もう一方の端に２段の雄ホック４ａに対応する２段×４列の雌ホック４ｂが設けられる。着用者は、自身の体型にあわせて適度な緊締力が得られるように、４列の雌ホック４ｂのうち、適切な列の雌ホック４ｂに雄ホック４ａを係止する。
【手続補正４】
【補正対象書類名】明細書
【補正対象項目名】００６４
【補正方法】変更
【補正の内容】
【００６４】
このように本発明の実施の形態に係るブラジャー１は、カップ部２の左右両側に脇被覆部５を設け、着用時にこの脇被覆部５の脇側が大きく伸長することにより、脇被覆部５が、脇肉を体の中心に向かう方向に押圧する。これにより、着用者の動きによってバストがカップ部２からはみ出たり、脇肉が移動したりする場合でも、脇被覆部５がテンションをかけて脇肉を覆うので、日常時はもちろん、運動時においても、脇肉の移動を抑制し、カップ部２の脇側において美しいラインを保つことができる。
【手続補正５】
【補正対象書類名】明細書
【補正対象項目名】００７１
【補正方法】変更
【補正の内容】
【００７１】
図７（ｈ）および図７（ｉ）の脇側端部５１に施される変化は、編み地の変化、ケミカル加工、樹脂プリントを施す加工などである。脇側端部５１に施される変化により、脇側端部５１は、脇被覆部５と比べて、伸長回復性が高く伸縮性が低くなり、脇肉を押さえるパワーを生じる様に形成される。これにより、脇側端部５１が脇肉の移動に追従して、脇被覆部５で脇肉を押圧することが可能となる。
【手続補正書】
【提出日】平成29年9月6日(2017.9.6)
【手続補正１】
【補正対象書類名】特許請求の範囲
【補正対象項目名】全文
【補正方法】変更
【補正の内容】
【特許請求の範囲】
【請求項１】
バストを被覆するカップ部を有する衣類であって、
一対のカップ部と、
前記一対のカップ部の左右両側にそれぞれ設けられ、脇肉を被覆するとともに、前記脇肉を体の中心に向かう方向に押圧可能な伸縮部材で形成される一対の脇被覆部
を備え、
着用時に、前記脇被覆部の脇側がカップ部側よりも大きく伸長して、前記脇被覆部が、前記脇肉を体の中心に向かう方向に押圧し、
前記脇被覆部の脇側の端に、前記脇被覆部よりも強いパワーを有する脇側端部を設け、
前記脇側端部は、前記脇肉の移動を妨げ、
前記脇被覆部が、前記脇側端部によって留まった前記脇肉を、体の中心に向かう方向に押圧する
ことを特徴とするカップ部を有する衣類。
【請求項２】
着用者のバスト下方で周方向に、緊締力を有する部材で形成される帯状部を備え、
前記脇被覆部の脇側は、脇線近傍で前記帯状部に連結する
ことを特徴とする請求項１に記載のカップ部を有する衣類。
【請求項３】
前記脇被覆部の伸縮部材は、前記カップ部の上端に対応する高さ位置から肩の稜線に向かう方向に伸縮するように配設される
ことを特徴とする請求項１または２に記載のカップ部を有する衣類。
【請求項４】
着用者の背面で前記帯状部に連結し、非伸縮または難伸縮性を有する一対のストラップ部をさらに備え、
前記脇被覆部は、肩の稜線を超えた背面の位置で、それぞれ前記ストラップ部に接続する
ことを特徴とする請求項２に記載のカップ部を有する衣類。
【請求項５】
前記一対のカップ部の上方にそれぞれ設けられ、前記カップ部の上側のバストを被覆するとともに、前記カップ部の上側のバストを体の中心に向かう方向に押圧可能な伸縮部材で形成される一対の上バスト被覆部をさらに備え、
前記上バスト被覆部の伸縮部材は、前記一対のカップ部の中心から前記一対のカップ部のそれぞれの上端に向かう方向に伸縮するように、それぞれ配設される
ことを特徴とする請求項１ないし４のいずれか１項に記載のカップ部を有する衣類。
【国際調査報告】
2017072876.tif 000010
2017072876.tif 000011
2017072876.tif 000012
2017072876.tif 000013